(57)【特許請求の範囲】
【請求項１】
外部装置との間で無線通信を行うに際し、前記外部装置から供給される無線電力により動作する無線通信部と、
前記無線通信に伴う各種データを記憶する記憶部と、
表示用電源の供給を受け、前記記憶部に記憶されたデータに基づいて各種表示を行うとともに、電源非供給状態で表示状態を所定保持期間の間、保持可能な表示部と、
前記表示部に対して前記表示用電源を供給する電源部と、
前記表示部に対し、前記所定保持期間未満の所定周期で間欠的に前記表示用電源の供給を許可する電源供給制御部と、を備えた
ことを特徴とする携帯型情報処理装置。
【請求項２】
前記電源部は、光エネルギーを電気エネルギーに変換する太陽電池と、
前記電気エネルギーを蓄え、前記表示用電源として供給する蓄電部と、を備えた
ことを特徴とする請求項１に記載の携帯型情報処理装置。
【請求項３】
前記表示部における表示指示を行うための操作部を備え、
前記電源供給制御部は、前記表示指示がなされてから、前記記憶部に記憶されたデータに基づいた表示を行うべく、所定時間の間のみ前記表示用電源の供給を許可する
ことを特徴とする請求項１に記載の携帯型情報処理装置。
【請求項４】
前記表示部は、電気泳動ディスプレイである
ことを特徴とする請求項１ないし３のいずれかに記載の携帯型情報処理装置。
【請求項５】
前記電源供給制御部は、前記所定周期をカウントするためのカウント部を備えた
ことを特徴とする請求項１または４のいずれかに記載の携帯型情報処理装置。
【請求項６】
前記記憶部は、不揮発性のメモリであることを特徴とする
請求項１ないし請求項４のいずれかに記載の携帯型情報処理装置。
【請求項７】
外部装置との間で無線通信を行うに際し、前記外部装置から供給される無線電力により動作する無線通信部と、前記無線通信に伴う各種データを記憶する記憶部と、表示用電源の供給を受け、前記記憶部に記憶されたデータに基づいて各種表示を行うとともに、非電源供給状態で表示状態を所定保持期間の間、保持可能な表示部と、前記表示部に対して前記表示用電源を供給する電源部と、を備えた携帯型情報処理装置の制御方法において、前記所定保持期間未満の所定周期で間欠的に前記表示用電源の供給を許可する
ことを特徴とする携帯型情報処理装置の制御方法。
【請求項８】
前記無線通信部は、前記外部装置の近傍に配置された無線通信圏内に前記無線通信部が位置する場合に、前記外部装置から供給される無線電力により動作するものである
ことを特徴とする請求項７に記載の携帯型情報処理装置の制御方法。
【発明の詳細な説明】
【０００１】
【発明の属する技術分野】
本発明は、表示装置を有する携帯型情報処理装置および携帯型情報処理装置の制御方法に係る。
【０００２】
【従来の技術】
携帯型無線装置の１つとして、たとえば非接触型のＩＣ（Integrated Circuit）カード（以下、単に非接触ＩＣカードと記述する）がある。
この非接触ＩＣカードは、例えば電車の改札口に設置される専用のリード／ライト装置との間で無線データ通信を行うことができ、電車運賃の精算等を行うことができる。たとえば定期券に非接触ＩＣカードを適用した場合は、定期入れから定期券を取り出して改札口に挿入するといった煩雑な手続が不要になる。また、リード／ライト装置と通信するデータは暗号化することもできるので、データのセキュリティも高く、偽造等の不正使用の心配もない点でも注目されている。
【０００３】
【発明が解決しようとする課題】
ところで、非接触ＩＣカードは電源や表示手段を有していないため、ユーザは自分のカードをリード／ライト装置に近づけない限り、カードの内容を認知できなかった。
このため、ユーザが改札口を通る段階になって、残高不足で自分のカードが使用できないことが判明する状況も起こり得た。
本発明は、以上の点を考慮し、たとえば非接触ＩＣカードのような携帯型無線装置において、ユーザが装置（カード）に記録される内容をいつでも認知できるよう配慮した使い勝手のよい携帯型情報処理装置および携帯型情報処理装置の制御方法を提供することを目的とするものである。
【０００４】
【課題を解決するための手段】
上述した課題を解決するために、請求項１に記載の構成は、外部装置との間で無線通信を行うに際し、前記外部装置から供給される無線電力により動作する無線通信部と、前記無線通信に伴う各種データを記憶する記憶部と、表示用電源の供給を受け、前記記憶部に記憶されたデータに基づいて各種表示を行うとともに、電源非供給状態で表示状態を所定保持期間の間、保持可能な表示部と、前記表示部に対して前記表示用電源を供給する電源部と、前記表示部に対し、前記所定保持期間未満の所定周期で間欠的に前記表示用電源の供給を許可する電源供給制御部と、を備えたことを特徴とする。
【０００５】
請求項２に記載の構成は、請求項１記載の構成において、前記電源部は、光エネルギーを電気エネルギーに変換する太陽電池と、前記電気エネルギーを蓄え、前期表示用電源として供給する蓄電部と、を備えたことを特徴とする。
【０００６】
請求項３に記載の構成は、請求項１記載の構成において、前記表示部における表示指示を行うための操作部を備え、前記電源供給制御部は、前記表示指示がなされてから、前記記憶部に記憶されたデータに基づいた表示を行うべく、所定時間の間のみ前記表示用電源の供給を許可することを特徴とする。
【０００７】
請求項４に記載の構成は、請求項１ないし３のいずれかに記載の構成において、前記表示部は、電気泳動ディスプレイであることを特徴とする。請求項５に記載の構成は、請求項１ないし４のいずれかに記載の構成において、前記電源供給制御部は、前記所定周期をカウントするためのカウント部を備えたことを特徴とする。
【００１０】
請求項６に記載の構成は、請求項１ないし請求項５のいずれかに記載の構成において、前記記憶部は、不揮発性のメモリであることを特徴とする。
【００１２】
請求項７に記載の構成は、外部装置との間で無線通信を行うに際し、前記外部装置から供給される無線電力により動作する無線通信部と、前記無線通信に伴う各種データを記憶する記憶部と、前記記憶部に記憶されたデータに基づいて各種表示を行うとともに、非電源供給状態で表示状態を所定保持期間の間、保持可能な表示部と、表示用電源を供給する電源部と、を備えた携帯型情報処理装置の制御方法において、前記所定保持期間未満の所定周期で間欠的に前記表示用電源の供給を許可することを特徴とする。
【００１３】
請求項８に記載の発明は、請求項７に記載の構成において、前記無線通信部は、前記外部装置の近傍に配置された無線通信圏内に前記無線通信部が位置する場合に、前記外部装置から供給される無線電力により動作するものであることを特徴とする。
【００１５】
【発明の実施の形態】
以下、図面を参照して本発明の実施形態について説明する。
【００１６】
Ａ：第１実施形態
Ａ１：第１実施形態の構成
図１は、本発明の一実施形態である非接触ＩＣカード１００の構成を示すブロック図である。
非接触ＩＣカード１００は、専用のリード／ライト装置８０との間において無線データ通信を行うためのループアンテナ１、具体的なデータ処理やデータ処理結果を記憶する機能を有する集積回路２０、データ処理結果を表示するための表示装置３０、表示装置３０に表示を行うことを促す外部操作部４０、表示装置３０に表示を行う時の電源となる電池５０から構成される。
【００１７】
ループアンテナ１はリード／ライト装置８０との間で無線通信を実行するためのコイル１Ｌと、信号を同調させるためのコンデンサ１Ｃから構成される。コンデンサ１Ｃの容量は、リード／ライト装置８０からの信号が同調するように予め調整されている。
【００１８】
集積回路２０は、ループアンテナ１からのアナログ受信信号に対して種々の処理を行う回路である。具体的には、アナログ受信信号から電源を生成する整流回路３、アナログ受信信号から信号処理のタイミングを図る基準信号を生成する基準信号作成回路７、アナログ受信信号を復調する復調回路４、外部に送信する信号を変調する変調回路５を有している。また、集積回路２０は、シリアル／パラレル変換およびパラレル／シリアル変換を行うための変換回路６、集積回路２０の全体を制御する制御回路８、アナログ受信信号を所定のプログラムで処理する暗号処理回路１０、アナログ受信信号を記憶するためのメモリ９を有している。そして、メモリ９に記録された内容を表示装置３０に表示するための表示駆動回路１１を有している。
【００１９】
表示装置３０は、例えば液晶のように、所定の電気信号を供給することにより具体的な表示動作を行うことができるものをいう。なお、本実施形態においては、非接触ＩＣカード１００の薄形状を考慮すると、表示装置３０の基板としては、ガラスよりもプラスチックのほうが屈曲性を有するため望ましいといえる。
【００２０】
電池５０は、薄円型のリチウム電池である。この電池５０は、表示装置３０に表示を行うために設けられたものであり、具体的には表示駆動回路１１を駆動させる電源として使用される。
ここで、表示駆動回路１１を駆動するために、本来電池としては大容量のものを具備させるべきであるが、大容量の電池は形状も大きくなるため、ＩＣカード１００の携帯性、軽量化が損なわれる。そこで、本実施形態においてはＩＣカード１００の携帯性を確保するために、小容量の薄円型のリチウム電池を設けることとしている。
【００２１】
よって、常に表示駆動回路１１を駆動させたとすると、電池５０の電荷容量はすぐになくなってしまうことになり、頻繁に電池交換をしなければならない不具合を生じる。
このような不具合を生じないようにするため、本実施形態においては、ユーザが後述する外部操作部４０において所定の操作を行ってから一定期間に限り、表示駆動回路１１を駆動させるようにしている。
【００２２】
外部操作部４０は、非接触ＩＣカード１００のユーザにより操作されるべきスイッチを複数有している。そして、ユーザによって所定のスイッチが操作されると、メモリ９の内容を表示装置３０に表示する旨の信号を集積回路２０に出力する機能を有している。
【００２３】
図２は外部操作部４０の構成図である。外部操作部４０は、スイッチ４１、起動回路４２、トランジスタＰ１を備えている。
スイッチ４１は、２接点式のスイッチであり、ユーザによって所定の操作（たとえば押操作）が行われるとスイッチ４１の２端点は導通状態となる。
トランジスタＰ１は、Ｐチャネル型のトランジスタであり、ゲート端子がハイレベルのときオフ状態、ゲート端子がローレベルのときオン状態となるものである。
起動回路４２は、スイッチ４１の状態に応じて、トランジスタＰ１のゲート端子のレベルを出力する回路である。
【００２４】
図３は、起動回路４２についての構成を示したものである。起動回路４２は、コンデンサＣ１、抵抗Ｒ１およびトランジスタＮ１を備えている。
トランジスタＮ１は、Ｎチャネル型のトランジスタであり、ゲート端子がハイレベルのときオン状態、ゲート端子がローレベルのときオフ状態となるものである。
起動回路４２の具体的動作については後述する。
【００２５】
Ａ２：実施形態の動作
本発明の内容を分かりやすくするために、図面を使用して本実施形態に係る非接触ＩＣカードの動作を述べる。以下、リード／ライト装置８０との間で行われるデータ通信時の動作と、ユーザによってスイッチ４１が操作されたときにメモリ９の内容を表示する動作に分けて説明をする。
【００２６】
（１）リード／ライト装置８０との間で行われるデータ通信時の動作。
リード／ライト装置８０からは変調された電磁波が出力され、非接触ＩＣカード１００のループアンテナ１に供給される。
ループアンテナ１のコイル１Ｌおよび同調用コンデンサ１Ｃを介してアナログ受信信号が入力されると、その後、整流回路３は、アナログ受信信号の整流を行い、直流電源として復調回路４等に供給する。このようにして非接触ＩＣカード１００は、整流回路３により供給される直流電流により駆動される。
【００２７】
そして、非接触ＩＣカード１００が駆動状態になった後、リード／ライト装置８０から供給された信号は、制御回路８の制御の下で、復調回路４により復調される。そして、復調された信号は、暗号処理回路１０を介してメモリ９に格納される。
例えば、リード／ライト装置８０から「電車の運賃として５００円分の清算を実行する」旨の信号が送信された場合、かかる内容が暗号処理回路１０を介してメモリ９に格納される。この結果、メモリ９に格納されていた金銭的価値データから５００円に相当する値が差し引かれたものがメモリ９に新たに格納されることになる。
【００２８】
一方、非接触ＩＣカード１００は、リード／ライト装置８０からの信号を受信した旨を通知するための信号をリード／ライト装置８０に出力する。具体的には、制御回路８は、信号を受信した旨を通知する旨の信号を生成し変調回路５に出力する。かかる信号は変調回路５によって変調された後、ループアンテナ１を介してリード／ライト装置８０に送信される。
リード／ライト装置８０は、非接触ＩＣカード１００からの通知信号を受け取ると、無線通信が正常に行われたことを認識する。
なお、この通知信号を受信できない場合、リード／ライト装置８０は、無線通信が正常に行われなかったと認識する。例えばリード／ライト装置が電車の改札口に適用されているときは、改札口のゲートを閉める制御を行い、非接触ＩＣカード１００との無線通信が正常に行われなかった旨をユーザ等に明示する。
【００２９】
このようにして、非接触ＩＣカード１００は、リード／ライト装置８０との間で無線データ通信を実行する。以上の動作は、リード／ライト装置８０から出力された信号によって整流回路３を動作され、整流回路３の動作により生じる電源により行なわれる。すなわち、非接触ＩＣカード１００内部の電池５０を使用することはないため、電池５０の容量を浪費することにはならない。
図１の領域Ｄ１は、上記動作において、整流回路３によって発生した電源が供給される領域を示している。
【００３０】
（２）非接触ＩＣカード１００の表示動作について
次に、非接触ＩＣカード１００のメモリ９に記憶された内容を表示装置３０に表示する動作の説明を行う。
ユーザは、表示装置３０に非接触ＩＣカード１００の内容を表示することを所望するときは、外部操作部４０のスイッチ４１を操作する。
【００３１】
図２において、ユーザによりスイッチ４１が操作されスイッチ４１が導通状態になると、起動回路４２が動作する。
図３を使って、起動回路４２の動作を詳細に説明する。スイッチ４１が導通状態になると、トランジスタＮ１のゲート端子がハイレベルになるため、トランジスタＮ１はオン状態になる。このとき、トランジスタＮ１のドレイン端子の電位Ｖｂとソース端子の電位ＶＳＳは等しくなるので、Ｖｂの電位はＶｓｓ（ローレベル）に下がる。
このため、トランジスタＰ１のゲート端子がローレベルになるため、トランジスタＰ１はオン状態になる。よって、トランジスタＰ１のソース端子の電圧Ｖｄｄとドレイン端子の電圧Ｖａとが等しくなるため、結果として集積回路２０に電池５０から電源が供給されることになる。
【００３２】
集積回路２０に電源が供給されると、制御回路８や表示駆動回路１１に電源が供給されることとなり、メモリ９に記憶されている内容が表示装置３０に表示されることとなる。
図１における領域Ｄ２は、このときに電池５０から電源が供給される領域を示したものである。
【００３３】
なお、一度、ユーザによりスイッチ４１が操作されると、コンデンサＣ１には電荷がチャージされる。このため、その後、ユーザがスイッチ４１の操作を止め、スイッチ４１が絶縁状態となった後も、しばらくの間は、トランジスタＮ１のソース端子の電圧Ｖｂはハイレベル状態となっている。この場合、トランジスタＰ１はオン状態を維持し、集積回路２０に電池５０から電源が供給され続けることになる。
よって、ユーザがスイッチ４１を一回操作すれば、しばらくは表示装置３０への表示動作が維持されることとなり、ユーザに対する便宜が図られている。
【００３４】
以上のように、本実施形態に係る非接触ＩＣカード１００のユーザは、非接触ＩＣカード１００に記憶されている内容をいつでも表示装置３０に表示させることができる。よって、非接触ＩＣカード１００を使って電車に利用するような場合も、予めカードの内容を確かめてから使用することができ、改札口を通る段階になってはじめて残高が足りないことが判明するといった不便な状況も起こり得ない、使い勝手のよい非接触ＩＣカード１００を提供できる。
また、非接触カード１００に表示装置３０を駆動するための表示駆動回路１１を具備させているが、かかる表示駆動回路１１に電池５０から常に電源を供給させる必要もないため、電池５０が小容量であっても頻繁に電池交換を行わなければならない煩わしい状況にもならない。
【００３５】
Ｂ：第２実施形態
図４は本実施形態に係る非接触ＩＣカード２００の構成を示すブロック図である。非接触ＩＣカード２００は、上記第１実施形態に係る非接触ＩＣカード１００に比較し、表示装置２３０の物理的な特徴と、制御回路２０８にカウンタ回路８１を設けた点が異なっているため、以下の説明においては、上述した第１実施形態と異なる部分についてのみの説明を行う。
【００３６】
本実施形態に係る表示装置２３０は、電気泳動の物理的な性質を利用して表示を行う点に特徴を有している。
通常の表示装置、たとえば表示素子として液晶を利用した表示装置では、表示駆動回路を駆動して所定の駆動電圧を印加して液晶分子の配列を変化させることにより表示動作を行う。そして、表示駆動回路の駆動を止めた場合は、液晶に所定の駆動電圧を印加されなくなるので、液晶分子の配列も元に戻り表示装置の表示動作も終了することになる。
一方、本実施形態に係る表示装置２３０は、表示素子に対し所定の電場を形成させ、表示素子を構成する粒子を物理的に移動（泳動）させることにより表示動作を行っている。このため、表示駆動回路の駆動を止めた場合であっても、移動（泳動）した粒子は一定期間その状態を保持できるため、結果として表示内容が一定期間保持される特質を有している。
この表示内容を保持する期間（以下、表示保持期間と記述する）は、表示素子を構成する粒子の大きさや種類によるが、例えば数日〜数十日の表示保持期間を確保することも可能である。一方、一度表示を行うために表示駆動回路を駆動する時間は数十μｓｅｃ程度である。
【００３７】
図５は表示装置２３０の表示動作を説明するための図である。
図５において、ｔｗは、表示装置２３０に一画面分のデータを表示させるのに必要な表示駆動回路２１１の駆動時間である。そして、ｔｐは、一画面分のデータが表示された場合に、かかる表示内容が表示装置２３０に表示され続ける時間（表示保持期間）を示している。上述したように、ｔｗは数十μｓｅｃであるのに対して、ｔｐは数日〜数十日という長い時間とることが可能である。
よって、表示駆動回路２１１を駆動し続けるために多くの電源を供給することなく、表示装置２３０の表示を維持させることが可能である。
【００３８】
次にカウンタ回路８１についての説明をする。
カウンタ回路８１は、所定周期ごとにタイミング信号を出力する回路である。この周期の長さはカウンタ回路８１の回路構成を調整することにより任意に変更することができる。
本実施形態においては、カウンタ回路８１からタイミング信号が出力されるごとに、制御回路２０８は表示駆動回路２１１をｔｐ（数十μｓｅｃ）だけ動作するように制御している。すなわち、カウンタ回路８１から出力されるタイミング信号によって、表示駆動回路２１１は表示装置２３０に一画面分の表示を行うために必要なだけ駆動されることになる。
そして、カウンタ回路８１の周期は、表示保持期間ｔｗよりも若干短い時間ｔｐ２に設定している。
【００３９】
図６は、本実施形態の動作を説明するための図である。図６に示すように、いったん表示装置２３０に一画面分の表示が行われると、かかる表示が保持される期間（表示保持期間ｔｗ）が経過する前に、表示駆動回路２１１が動作し、新しい一画面分の表示が行われるため、表示装置２３０には常に表示動作が行われることとなる。
また、このために表示駆動回路２１１は短い時間だけ駆動させればいいので消費電力も微小に抑えることが可能であり、電池２５０が小容量であったとしても、頻繁に電池交換をしなければいけないといった煩わしい事態も起こり得ない。
【００４０】
なお、本実施形態において、表示装置２３０に表示を行うタイミングは、カウンタ回路８１からタイミング信号が出力されたときだけでなく、リード／ライト装置８０との間でデータ通信が実行された場合も行うこととしてもよい。このような制御をすることにより、非接触ＩＣカード２００の記憶内容が変化した場合であっても、常に表示装置２３０には新しい内容が表示されることになる。
【００４１】
Ｃ：第３実施形態
図７は本実施形態に係る非接触ＩＣカード３００の構成を示すブロック図である。非接触ＩＣカード３００は、上掲した非接触ＩＣカード１００に比較し、電池５０の代わりに太陽電池３５０を使用している点、および、制御回路３０８に電圧検出回路３１８を設けた点が異なっている。よって、以下の説明においては、上述した実施形態と異なる部分についてのみの説明を行う。
【００４２】
図８はこの太陽電池３５０回りの回路構成を示したものである。また、図９は、本実施形態に係る非接触ＩＣカード３００の外観図である。
図８に示す回路構成において、太陽電池３５０に一定光量以上の光量が入射された場合、太陽電池３５０は光エネルギーを電気エネルギーに変換させる。そして、かかる電気エネルギーが、集積回路３２０に供給されると、表示駆動回路３１１が動作し、結果、表示装置３３０に表示がされることになる。
【００４３】
トランジスタＬＴは、太陽電池３５０に高照度の光が照射された場合に、電源が集積回路３２０の絶対最大電圧を超えてしまうのを考慮して設けたものである。
制御回路３０８の電圧検出回路３１８は、所定の電圧より高い電圧が供給された場合、トランジスタＬＴのゲート端子の電圧をハイレベルにする。すると、トランジスタＬＴはオン状態となるため、太陽電池３５０により発電した電圧は迂回されることになる。このようにして、集積回路３２０が破壊される恐れは回避される。
【００４４】
コンデンサＣ２は、トランジスタＬＴがオン状態になった場合に、集積回路３２０に対する電源の供給がなくなる状態を防止するために設けたものである。すなわち、コンデンサＣ２は、太陽電池３５０に一定光量以上の光量が入射された場合、蓄電されるので、トランジスタＬＴがオン状態になった場合に集積回路３２０に対する電源供給源となる。
また、ダイオードＤ１はトランジスタＬＴがオン状態になった場合に電流が逆流するのを防止するために設けたものである。
【００４５】
以上、太陽電池３５０に所定以上の光量が照射されると、表示駆動回路３１１が動作し、表示装置３３０に表示が行われる。よって、ユーザは太陽電池３５０に光を照射すれば、所望するときに非接触ＩＣカード３００の内容を表示させ、認知することができる。
なお、コンデンサＣ２に対する蓄電は、ＩＣカード３００が外部装置（リード／ライト装置８０）と無線通信している際にも行ってもよい。この場合、外部装置から供給される無線電力が、集積回路３２０内の整流回路を介してコンデンサＣ２に蓄電される。そして、表示駆動回路３１１に対する電源供給源として働くことになる。
【００４６】
Ｄ：変形例
以上、本発明の実施形態の説明を行ったが、上記実施形態はあくまでも本発明の一例であり、本発明の趣旨の範囲内で任意に変形を加えることができる。例えば以下のようなものが考えられる。
【００４７】
（１）変形例１
上述した各実施形態においては、それぞれ独立した実施形態としての説明を行ったが、これらの内容を組み合わせてもよい。
例えば、第１実施形態に係るスイッチ４１、第２実施形態に係るカウンタ回路８１、第３実施形態に係る太陽電池３５０を任意に組み合わせたものであってもよい。
例えば、第１実施形態に係るスイッチ４１がユーザによって操作されると、第２実施形態に係るカウンタ回路８１が駆動し、カウンタ回路８１から所定のタイミングで出力される信号に従って、表示装置の駆動回路を動作させるようにしてもよい。
また、スイッチ４１が操作され、その際に太陽電池３５０に一定の光量が供給されている場合に限って、表示駆動回路を動作させる制御を行ってもよい。
【００４８】
（２）変形例２
また、本発明は、表示装置を有する携帯型の装置であって、かかる表示装置に表示を行うための電源の消費が制限される装置であれば適用することが可能である。
例えば、腕時計型の電子機器に非接触型のＩＣカードの機能を搭載したものに適用することができ、この場合は上述したのと同様の効果を得ることができる。
【００４９】
【発明の効果】
以上説明したように、本発明によれば、例えば非接触ＩＣカードといった電子機器、装置のユーザが、いつでもその内容表示を促すことができるため、ユーザにとって使い勝手の良い非接触ＩＣカード等を提供することができる。
【図面の簡単な説明】
【図１】  本発明の第１実施形態に係る非接触ＩＣカードの構造を示す図である。
【図２】  同ＩＣカードの外部操作部の回路構成を示す図である。
【図３】  同ＩＣカードの起動回路の回路構成を示す図である。
【図４】  本発明の第２実施形態に係る非接触ＩＣカードの構造を示す図である。
【図５】  同ＩＣカードの表示部の動作を説明するための図である。
【図６】  同ＩＣカードの動作を説明するための図である。
【図７】  本発明の第３実施形態に係る非接触ＩＣカードの構造を示す図である。
【図８】  同ＩＣカードの電源部分を説明するための図である。
【図９】  同ＩＣカードの外観を示す図である。
【符号の説明】
１……ループアンテナ、１Ｌ……コイル、１Ｃ……コンデンサ、
３……整流回路、４……復調回路、５……変調回路、６……変換回路、７……基準信号生成回路、８……制御回路、９……メモリ、１０……暗号処理回路、１１……表示駆動回路、
２０……集積回路、３０……表示装置、４０……外部操作部、５０……電池、８０……リード／ライト装置、１００……非接触ＩＣカード。
【図１】
0003820862.tif 000002
【図２】
0003820862.tif 000003
【図３】
0003820862.tif 000004
【図４】
0003820862.tif 000005
【図５】
0003820862.tif 000006
【図６】
0003820862.tif 000007
【図７】
0003820862.tif 000008
【図８】
0003820862.tif 000009
【図９】
0003820862.tif 000010